(57)【特許請求の範囲】
【請求項１】
先ず、少なくとも木粉と粒状穀類とを含み且つ両者の合計量に対する粒状穀類の絶乾基準の割合が５〜５０重量％の範囲である水湿潤状態の種菌用培養基にハタケシメジの菌糸体を接種して種菌を生産し、次いで、得られた種菌を使用して菌床栽培方式により栽培することを特徴とするハタケシメジの栽培方法。
【発明の詳細な説明】
【０００１】
【発明の属する技術分野】
本発明はハタケシメジの人工栽培方法に関する。ハタケシメジは、キシメジ科シメジ属のキノコであり、次の様な特徴を有する。すなわち、菌傘の大きさは４〜１０cm、傘色は黄茶褐色ないし灰褐色で且つ形は丸型ないし漏斗状となる。菌柄の長さは５〜８cm、太さは０．８〜１．２ｃｍ、上部が粉状で肉質は中空で硬い。形態は、古来より人気の高い「香りマツタケ味シメジ」と言われるキシメジ科シメジ属のホンシメジに類似している。そして、ハタケシメジは、歯触りが良く美味であり、しかも、日保ちのするキノコであることから、食用キノコとしての人気が高い。
【０００２】
【従来の技術】
ハタケシメジの栽培法は、先ず、種菌を生産し、次いで、得られた種菌を使用して通常の菌床栽培方式により栽培する方法で行われる。ところで、例えば、特開昭６３−１６９９１３号公報、特開平３−２４４３２０号公報、特開平４−２１１３０８号公報などには、種菌の製造方法として、オガコにバーク堆肥や腐葉土を混合した培地基材に栄養源として米ヌカやフスマ等の穀類糠と水を添加して調製した培地を使用し、同一組成の固体種菌やＰＧＹ液体培地で培養された液体種菌を接種する方法が開示されている。
【０００３】
しかしながら、ハタケシメジは、従来から人工栽培されているシイタケやナメコ等の木材腐朽菌とは異なり、腐生菌に属するきのこであることから、上記の様な固体種菌を使用した場合には、接種した種菌の活着や伸長が極めて遅いため、栽培サイクルが長くなる。そして、斯かる長い栽培サイクルが培養初期における害菌類の混入の最大の原因となり、発生が安定しない。また、液体種菌においては、装置の導入に経費が掛かることから商業的生産規模の栽培としては実用的ではない。
【０００４】
【発明が解決しようとする課題】
本発明は、上記実情に鑑みなされたものであり、その目的は、接種した種菌からの発菌や活着を早めて栽培サイクルを早め、培養時における害菌類の混入を抑制し、形質良好な商品価値の高いキノコを安定的に高収率で収穫することが出来る、ハタケシメジ栽培方法を提供することにある。
【０００５】
【課題を解決するための手段】
本発明者らは、種々鋭意検討を重ねた結果、通常の木粉培地での人工栽培方法では到底採用されることのない木粉穀粒培地を使用するならば、接種した種菌からの発菌や活着が早められるとの知見を得た。
【０００６】
本発明は、上記の知見に基づき完成されたものであり、その要旨は、先ず、少なくとも木粉と粒状穀類とを含み且つ両者の合計量に対する粒状穀類の絶乾基準の割合が５〜５０重量％の範囲である水湿潤状態の種菌用培養基にハタケシメジの菌糸体を接種して種菌を生産し、次いで、得られた種菌を使用して菌床栽培方式により栽培することを特徴とするハタケシメジの栽培方法に存する。
【０００７】
【発明の実施の形態】
＜種菌の生産＞
先ず、本発明においては、種菌用培養基にハタケシメジの菌糸体を接種して種菌を生産する。この際、種菌用培養基として、少なくとも木粉と粒状穀類とを含み且つ両者の合計量に対する粒状穀類の絶乾基準の割合が５〜５０重量％の範囲である水湿潤状態の種菌用培養基を使用することが重要である。
【０００８】
木粉としては、オガコが使用され、特に針葉樹オガコが好適であるが、広葉樹オガコも使用することが出来る。また、針葉樹オガコは３ヶ月以上堆積したものが好適であるが、新鮮なオガコも使用することが出来る。また、オガコと共にコーンコブ粉砕物を使用することも出来、その場合、オガコ：コーンコブ粉砕物の容積比は、８：２程度とされる。
【０００９】
粒状穀類としては、玄米、小麦、大麦、ライ麦、トウモロコシ、マイロ等が挙げられる。これらは、粒状のまま使用される。穀類を粉末状で使用した場合は、種菌用培養基の粘性が増して物性が悪化し、本発明の目的を達成することが出来ない。
【００１０】
木粉と粒状穀類の両者の合計量に対する粒状穀類の絶乾基準の割合は、５〜５０重量％の範囲であるが、好ましくは２５〜３５重量％の範囲である。粒状穀類の割合が５重量％未満の種菌用培養基の場合は、接種した種菌からの発菌や活着が十分に早められず、粒状穀類の割合が５０重量％を超える種菌用培養基の場合は、種菌用培養基の物性が悪化する。すなわち、培養基が塊状となって充填機による詰め込み作業に支障を来す。
【００１１】
種菌用培養基には、通常、上記の成分の他、米糠やフスマ、トウモロコシ糠などの穀類糠が栄養源として適当量配合される。そして、水を添加して調製されるが、種菌用培養基の含水率は、通常、５５〜７０重量％、好ましくは６０〜６５重量％の範囲とされる。
【００１２】
種菌用培養基は、通常、種菌容器に充填して使用される。容器としては、ポリプロピレン製の瓶が好適であり、その大きさは８００〜１５００ｃｃ程度で十分である。培養基の充填は、充填機の使用により簡便に行なうことが出来る。容器に充填された培養基の中央部には、菌糸の蔓延を良好にするため、直径が１０〜２０mmであり、底部に到達する接種孔を設けるのが好ましい。
【００１３】
種菌容器に充填された培養基は、常法に従い、容器に蓋を施した後に殺菌処理される。殺菌処理は、通常、高圧殺菌釜を使用して行なわれ、培養基内温度が約１２０℃に達した後、同温度を１時間程度保持することにより、完全殺菌を行なうことが出来る。殺菌終了後の培養基は、無菌的に冷却される。
【００１４】
次いで、冷却された培養基にＰＤＡ等の斜面培地で前培養されたハタケシメジの菌糸塊切片を無菌的に接種する。接種量は、通常、１瓶当たり１〜３切片程度とするのが好ましい。
【００１５】
次いで、菌糸塊切片が接種された培養基の培養を行ない、菌糸の蔓延した種菌を得る。培養管理は、環境温度は、通常２０〜２５℃、好ましくは２３℃、環境湿度は、通常５０〜８０％、好ましくは６０〜７０％の範囲内で、４０〜８０日間の培養を行なうのが好ましい。通常、１０００ｃｃ容器の場合、６０日間程度の培養期間で菌糸の蔓延した完熟種菌が得られる。尚、ハタケシメジの種菌は、培養期間が長くなるにつれ極端に発菌、活着力が低下することから、接種後１００日以内に種菌として使用することが好ましい。
【００１６】
＜菌床栽培＞
次いで、本発明においては種菌を使用して菌床栽培方式により栽培する。上記の様に生産されたハタケシメジの種菌は、通常の木粉種菌と異なり、発菌、活着力が極めて旺盛であることから、通常の菌床栽培方式をそのまま採用することにより、培養における害菌類の発生を防止し、短期間に安定的かつ効率の良いハタケシメジの人工栽培を行うことが出来る。
【００１７】
上記の通常の菌床栽培方式とは、エノキタケやヒラタケ等で広く一般に行なわれている従来の人工栽培の手法であり、瓶栽培、袋栽培、箱栽培などがある。そして、栽培条件は、広範囲から適宜選択されるが、何れも、当業者にとっては周知である。
【００１８】
【実施例】
以下、本発明を実施例により更に詳細に説明するが、本発明は、その要旨を超えない限り、以下の実施例に限定されるものではない。
【００１９】
実施例１
先ず、野積み処理したスギオガコと玄米粒子と大麦粒子とを絶乾重量比で６：２：１の割合（穀類合計添加量３３．３重量％）に混合した後、培養基総重量に対し、１２重量％のフスマ、３重量％のネオビタスＨＭ（１０００ｃｃ１瓶当たり絶乾重でフスマ６４ｇ、ネオビタスＨＭ１８ｇ）、１重量％の炭酸カルシウムを添加し、水を加え、含水率約６６重量％の種菌用培養基を調製した。そして、ポリプロピレン製種菌瓶（１０００ｃｃ）に正味重量で６００〜６５０ｇの培養基を充填機によって充填し、培養基の中央部に直径が約１５mmで底部に到達する接種孔を設けて施蓋した後、常法に従って高圧殺菌釜中で殺菌した。殺菌終了後、放冷時における戻り空気による再汚染を防止するため、クリーンルーム内で冷却を行なった。因みに、上記の種菌用培養基の調製においては、培養基が塊状となって充填機による詰め込み作業に支障を来す様なトラブルはなかった。
【００２０】
その後、同クリーンルーム内でＰＤＡ斜面培地で培養したハタケシメジの種菌（ＫＸ−ＨＡ０９０号）を無菌的に３切片（接種孔内に１ケ、接種孔両側表面に２ケ）接種し、２３℃で６０日間培養して種菌の生産を行なった。
【００２１】
次いで、得られた種菌を使用し、スギオガコとコーンコブミールを容積比で８：２の割合に混合した培地基材を使用し、通常の菌床栽培方式によるハタケシメジの栽培を行なった。具体的には次の様に行った。
【００２２】
上記の培地基材に培養基総重量当たり１２重量％のフスマと３重量％のネオビタスＨＭを添加（８５０ｃｃ１瓶当たり絶乾重でフスマ５７ｇ、ネオビタスＨＭ１６ｇ）した後、含水率を約６９重量％に調節して栽培用培養基を調製した。そして、ポリプロピレン製栽培瓶（８５０ｃｃ）に正味重量で５４０〜５６０ｇの培養基を充填機によって充填し、培養基の中央部に直径が２０ｍｍで底部に到達する接種孔を設けて施蓋した。
【００２３】
次いで、常法に従って高圧殺菌釜中で殺菌した後に冷却した。冷却は、放冷時における戻り空気による再汚染を防止するため、クリーンルーム内で行なった。
【００２４】
次いで、同クリーンルーム内で無菌的に上記のハタケシメジ種菌を接種して培養を開始した。培養は２３℃で菌糸が蔓延するまで行ない、更に１０日間の培養を継続し、合計で５０日間行なった。その後、培地の表面も含めて２〜５mmの深さの菌掻き処理を行なった。
【００２５】
次いで、培養容器を倒立状態とし、環境温度１８〜２０℃、炭酸ガス濃度が８００〜２０００ppm、昼間のみ２００ｌｕｘの光を照射し、環境湿度９５％以上で芽出し管理を行なった。
【００２６】
次いで、原基の形成を確認後、容器を正立状態に戻し、菌床表面への覆土処理などは行なわずにそのまま同一環境下で原基の生育管理を継続した。そして、菌傘が平らになるまで生長した段階で株ごと収穫した。菌糸蔓延日数は４０．１日（標準偏差値２．８）、収穫までの日数は２４．２日（標準偏差値２．０）、１瓶当たりの収量は１６８．８ｇ（標準偏差値１８．５）であり、子実体の有効茎数は２６．２本（標準偏差値３．９）であり、培養中における害菌類の混入は認められなかった。また、栽培に要した総日数は約７５日間であった。
【００２７】
実施例２
実施例１において、野積み処理したスギオガコに混合する穀物の種類を玄米粒子のみとし、その混合割合を絶乾重量比で３：１（穀類添加量２５重量％）に減じて木粉穀粒種菌を生産し、種菌培養日数を４８日間に短縮した以外は、実施例１と同様に操作してハタケシメジの栽培を行なった。栽培における菌糸の蔓延日数は３７．３日（標準偏差値３．６）、収穫までの日数は２５．０日（標準偏差値２．２）、１瓶当たりの収量は１５６．３ｇ（標準偏差値２０．４）であり、子実体の有効茎数は２４．７本（標準偏差値３．２）であり、培養中における害菌混入は認められなかった。また、栽培に要した総日数は約７３日間であった。
【００２８】
比較例１
実施例１において、種菌用培養基を以下に示す通常のものに変更し、更に、種菌培養日数を８０日間に変更した以外は、実施例１と同様に操作してハタケシメジの栽培を行なった。すなわち、使用した種菌用培養基は、ブナオガコに栄養源として培養基総重量当たり１５重量％のフスマを添加（１瓶当たり絶乾重で８５ｇ）し、含水率を約６１重量％に調節して調製した。栽培における菌糸の蔓延日数は５８．６日（標準偏差値１０．２）、収穫までの日数は３０．６日（標準偏差値５．３）、１瓶当たりの収量は８５．６ｇ（標準偏差値３０．６）、子実体の有効茎数は１２．６本（標準偏差値２．８）であり、培養中における害菌混入率は５６．３％であった。また、栽培に要した総日数は約１００日間であった。
【００２９】
【発明の効果】
以上説明した本発明によれば、接種した種菌からの発菌や活着を早めて栽培サイクルを早め、培養時における害菌類の混入を抑制し、形質良好な商品価値の高いキノコを安定的に高収率で収穫することが出来る、ハタケシメジ栽培方法が提供され、本発明の効果は顕著である。